(57)【要約】【課題】操作部材の回動操作性に優れた魚釣用電動リールを提供する。【解決手段】リール本体５の左右側板５Ａ，５Ｂ間に設けられ、釣糸が巻回されるスプール７と、リール本体５に設けられ、スプール５を回転駆動する駆動モータ８と、左右側板５Ａ，５Ｂ間に配設された制御ケース１５と、駆動モータ８の出力を調節する略円筒形状の操作部材２５と、を有し、操作部材２５は、制御ケース１５の後部において、制御ケース１５に固定された支持部によって回動可能に支持されており、操作部材２５の回動軸Ｏ１周りには、操作部材２５の回動の際に部材の弾力性を利用した抵抗力を付与する係合手段が設けられている構成とした。【選択図】図３
2014108071.tif 000002
【特許請求の範囲】
【請求項１】
リール本体の左右側板間に設けられ、釣糸が巻回されるスプールと、
前記リール本体に設けられ、スプールを回転駆動する駆動モータと、
前記左右側板間に配設された制御ケースと、
前記駆動モータの出力を調節する略円筒形状の操作部材と、を有する魚釣用電動リールにおいて、
前記操作部材は、
前記制御ケースの後部において、前記制御ケースに固定された支持部によって回動可能に支持されており、
前記操作部材の回動軸周りには、前記操作部材の回動の際に部材の弾力性を利用した抵抗力を付与する係合手段が設けられていることを特徴とする魚釣用リール。
【請求項２】
前記係合手段は、前記支持部に設けられており、
前記支持部には、前記操作部材の操作角度に応じて操作位置信号を出力する角度センサが配置され、
前記係合手段は、前記角度センサに備わることを特徴とする請求項１に記載の魚釣用リール。
【請求項３】
前記係合手段は、前記支持部と前記操作部材との間に設けられており、
前記係合手段は、前記支持部と前記操作部材との対向部において、その一方に凹部を設けるとともに、他方に前記凹部に弾性係合する凸部を設けてなることを特徴とする請求項１に記載の魚釣用リール。
【請求項４】
前記凹部は、複数設けられていることを特徴とする請求項３に記載の魚釣用リール。
【発明の詳細な説明】
【技術分野】
【０００１】
本発明は、魚釣用電動リールに関する。
【背景技術】
【０００２】
従来、魚釣用電動リールは、主に深場の釣りに適用させるべく、仕掛けの放出から巻き取りに至るまで、釣竿を船縁に装着された竿掛けに置いたままの状態で行えるように構成されたものが多いが、最近では、手持ち状態で操作が行えるように、よりコンパクト化された構成も製品化されている。
【０００３】
一方、魚釣用電動リールは、スプールを巻き取り操作するための操作部材を、様々な位置に配置することが知られている。例えば、特許文献１に開示されているように、リール本体の側部に、モータ出力を調整できるように回動レバー式に構成した操作部材を配置することが知られている。
また、近年、特許文献２に開示されているように、リール本体の上部に配置した制御ケースの後端部に略円筒形状の操作部材を配置したものも開発されている。
この魚釣用電動リールによれば、リールを手持ち状態で把持しながら、把持する手の親指を操作部材に押し付けるようにして回動操作することができる。
【先行技術文献】
【特許文献】
【０００４】
【特許文献１】特許第３２９４８２０号公報
【特許文献２】特許第４９５４３３９号公報
【発明の概要】
【発明が解決しようとする課題】
【０００５】
前記した特許文献２の魚釣用電動リールに用いられる操作部材は、親指一つで回動操作することができるので操作性に優れる。
一方、魚釣用電動リールに用いられる駆動モータは、近年、より高性能化しており、この高性能化した駆動モータの出力を調節する操作部材においても回動操作性のさらなる向上が求められている。
【０００６】
本発明は、操作部材の回動操作性に優れた魚釣用電動リールを提供することを課題とする。
【課題を解決するための手段】
【０００７】
このような課題を解決する本発明の魚釣用電動リールは、リール本体の左右側板間に設けられ、釣糸が巻回されるスプールと、前記リール本体に設けられ、スプールを回転駆動する駆動モータと、前記左右側板間に配設された制御ケースと、前記駆動モータの出力を調節する略円筒形状の操作部材と、を有する魚釣用電動リールにおいて、前記操作部材は、前記制御ケースの後部において、前記制御ケースに固定された支持部によって回動可能に支持されており、前記操作部材の回動軸周りには、前記操作部材の回動の際に部材の弾力性を利用した抵抗力を付与する係合手段が設けられている。
【０００８】
この魚釣用電動リールによれば、操作部材を回動操作して駆動モータの出力を調節する際に、部材の弾力性を利用した抵抗力（節度感のある抵抗力）を付与することができる。これにより操作する指を通じて操作部材の調節具合（回動操作位置）を認識することができ、駆動モータの出力状態を把握することができる。
【０００９】
前記係合手段は、前記支持部に設けられており、前記支持部には、前記操作部材の操作角度に応じて操作位置信号を出力する角度センサが配置され、前記係合手段は、前記角度センサに備わることを特徴とする。
【００１０】
この魚釣用電動リールによれば、係合手段が角度センサに備わるので、係合手段を有する構造において省スペース化を図ることができる。
【００１１】
また、本発明は、前記係合手段は、前記支持部と前記操作部材との間に設けられており、前記係合手段は、前記支持部と前記操作部材との対向部において、その一方に凹部を設けるとともに、他方に前記凹部に弾性係合する凸部を設けてなることを特徴とする。
【００１２】
この魚釣用電動リールによれば、支持部と操作部材との対向部に、凹部と凸部とを設けるという簡単な構成にて係合手段を容易に設けることができる。
【００１３】
また、本発明は、前記凹部は、複数設けられていることを特徴とする。
【００１４】
この魚釣用電動リールによれば、操作部材を回動操作して駆動モータの出力を調節する際に、操作部材の回動に節度感のある抵抗力を複数付与することができる。これにより操作部材の調節具合（回動操作位置）を指の操作感覚を通じてより細かく認識できるようになり、駆動モータの出力状態がより把握し易くなる。
【発明の効果】
【００１５】
本発明によれば、係合手段の作用によって操作部材の回動の際に節度感のある抵抗力を付与することができるので、操作する指を通じて操作部材の調節具合（回動操作位置）を認識することができ、駆動モータの出力状態を把握し易い。したがって、操作部材の回動操作性に優れた魚釣用電動リールが得られる。
また、操作部材には、係合手段により回動方向へ回動し難くなっているので、係合手段を利用して操作部材を所定の節度位置（回動位置）に留め置くことができる。これにより、例えば、衣服や指等の予期しない接触によって操作部材が誤回動することを抑制することができる。
【００１６】
また、係合手段が角度センサに備わる構成では、係合手段を有する構造において省スペース化を図ることができるので、操作部材周りのコンパクト化が可能である。これにより、操作部材の回動操作性を向上することができる。また、コンパクト化により、軽量化、コスト低減を図ることができる。
【００１７】
また、係合手段は、支持部と操作部材との間に設けられている構成では、支持部と操作部材との対向部に、凹部と凸部とを設けるという簡単な構成にて係合手段を容易に設けることができるので、コスト低減を図ることができる。
また、操作部材の調節具合（回動操作位置）が操作部材から指にダイレクトに伝わるので、駆動モータの出力状態をより把握し易い。
【００１８】
また、凹部を複数設けることで、操作部材の回動の際に節度感のある抵抗力を複数付与することができるので、駆動モータの出力状態をより把握し易い。したがって、操作部材の回動操作性に優れた魚釣用電動リールが得られる。
【図面の簡単な説明】
【００１９】
【図１】本発明の第１実施形態に係る魚釣用電動リールを示す上面図である。
【図２】リール本体の制御ケースおよび側板の分解上面図である。
【図３】（ａ）は図２のＢ−Ｂ線に沿う拡大断面図、（ｂ）は図３（ａ）において丸形の破線で囲った部分をさらに拡大した断面図、（ｃ）は図３（ｂ）のＣ−Ｃ線に沿う断面図である。
【図４】（ａ）は図１のＡ−Ａ線に沿う断面図、（ｂ）〜（ｃ）は図４（ａ）において丸形の破線で囲った部分において、操作部材の回動位置を異らせたときの拡大断面図である。
【図５】操作部材を回動操作する際の様子を示す上面図である。
【図６】本発明の第２実施形態に係る魚釣用電動リールの操作部材を示す図であり、（ａ）は図３（ａ）に相当する断面図、（ｂ）は図６（ａ）において丸形の破線で囲った部分をさらに拡大した断面図、（ｃ）は図６（ｂ）のＥ−Ｅ線に沿う断面図である。
【図７】本発明の第３実施形態に係る魚釣用電動リールの操作部材を示す図であり、（ａ）は図３（ａ）に相当する断面図、（ｂ）は図７（ａ）において丸形の破線で囲った部分をさらに拡大した断面図、（ｃ）は図７（ｂ）のＦ−Ｆ線に沿う断面図である。
【発明を実施するための形態】
【００２０】
以下、本発明に係る魚釣用電動リールの実施形態について図面を参照して説明する。ここで、以下の説明において、「前後」「左右」を言うときは、図１に示した方向を基準とする。
【００２１】
図１に示すように、本実施形態の魚釣用電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻き取り操作される手動ハンドル６が設けられている。左右側板５Ａ，５Ｂ間には、釣糸が巻回されるスプール７が軸心７ａ（図４（ａ）参照）を中心に回転可能に支持されている。
本実施形態では、スプール７の前方側における左右側板５Ａ，５Ｂ間に駆動モータ８を保持しており、スプール７は、手動ハンドル６の巻き取り操作および駆動モータ８の回転駆動によって、動力伝達機構１０を介して釣糸巻き取り方向に回転駆動される。
【００２２】
なお、駆動モータ８については、スプール７の内部に設置する構成であってもよいが、本実施形態のように、スプール７の前方に設置することで、スプール７の糸巻き量を確保しつつ、リール本体５を可及的にコンパクト化することが可能となる。
また、動力伝達機構１０については、駆動モータ８の回転駆動力を減速してスプール７側に伝達する機能（減速機構１０２および伝達ベルト１０３などによって構成される）、駆動モータ８が回転駆動しても手動ハンドル６を連れ回しさせない機能や手動ハンドル６の逆回転を防止する機能（ラチェット１０４を含む）などを備えた公知のものによって構成することが可能である。
また、そのような動力伝達機構１０については、左側板５Ａ側に配設されていてもよいし、右側板５Ｂ側に配設されていてもよく、または、左右側板５Ａ，５Ｂのそれぞれに振り分けて配設されていてもよい。
なお、手動ハンドル６はハンドル軸１１６に固定されており、ハンドル軸１１６にドライブギヤ１１８が回転可能に支持されている。ドライブギヤ１１８にはピニオン１２０が噛合しており、これらのハンドル軸１１６、ドライブギヤ１１８、ピニオン１２０は、動力伝達機構１０を構成している。また、ハンドル軸１１６には、魚釣時にスプール７から釣糸が繰り出された際にスプール７の回転にドラグ力を付与する公知のドラグ機構１２５が設けられている。リール本体５と手動ハンドル６との間には、ドラグ機構１２５によるドラグ力の調整を行うための星型のドラグ調整ノブ（スタードラグ）１３９が設けられている。
【００２３】
また、スプール７の前方の左右側板５Ａ，５Ｂ間には、スプール７に対して均等に釣糸を巻回する機能を備えた公知のレベルワインド機構１４５（図４（ａ）参照）が設置されている。さらに、リール本体５を構成する左右側板５Ａ，５Ｂ間のスプール７の上方には、駆動モータ８を制御する制御部１００（図３（ａ）参照）を具備する制御ケース１５が配設されている。この制御ケース１５は、その表面が左右側板５Ａ，５Ｂの表面と面一状に構成されている。
そして、制御ケース１５の後端部には、操作部材２５が配設されている。操作部材２５の詳細は後記する。
【００２４】
リール本体５内には、図１に示すように、ピニオン１２０を軸方向に移動させてスプール７を釣糸巻き取り状態またはフリー回転状態に切り換える公知のクラッチ機構１７が配置されている。このクラッチ機構１７は、動力伝達機構１０に介在されて手動ハンドル６および駆動モータ８からの動力伝達を継脱する機能を備え、右側板５Ｂ側に設置されている。このクラッチ機構１７を構成する図示しないクラッチプレートには、動力伝達をＯＮ状態からＯＦＦ状態に切り換えるクラッチレバー１８と、動力伝達をＯＦＦ状態からＯＮ状態に切り換える切り換え部材１９が係合している。
【００２５】
本実施形態におけるクラッチレバー１８は、スプール７をサミングしながら操作が可能となるように、スプール７の後方側の左右側板５Ａ，５Ｂ間に設けられている。クラッチレバー１８を押し下げ操作することで、クラッチ機構１７をＯＮ状態からＯＦＦ状態に切り換えることができる。クラッチレバー１８は、図示しない振り分け保持バネによって、図４（ａ）に示すクラッチＯＮ位置とクラッチＯＦＦ位置（図示せず）との間で振り分け保持されている。
【００２６】
また、本実施形態における切り換え部材１９は、右側板５Ｂ側に設置されており、振り分け保持バネ（不図示）によって、クラッチＯＮ位置とクラッチＯＦＦ位置との間で揺動可能となるよう振り分け保持されている。
【００２７】
図１において、リール本体５には、駆動モータ８に対して電力を供給するための給電部２０が設けられている。この給電部２０は、左側板５Ａの前方側の下面領域に形成されている（図３（ａ）参照）。給電部２０に対しては、着脱可能な図示しない携帯用小型バッテリ２２（図５参照）や汎用のバッテリ、さらには、釣り船に設備されている給電コード等が装着可能である。
【００２８】
制御ケース１５は、スプール７の前方側に設けられている。具体的には、制御ケース１５は、スプール７の上方前方において、スプール７の軸心Ｏ２の近傍からレベルワインド機構１４５（図４（ａ）参照）および駆動モータ８を覆う大きさを備えており、その後端部分に、駆動モータ８の出力を調節する操作部材２５が配置されている。
操作部材２５は、スプール７の上方に位置して、前後方向（釣竿方向）に回動操作可能に支持されている。本実施形態では、スプール７に釣糸が巻回された状態において、釣糸をサミング操作しながら親指で操作部材２５を回動操作することが可能となるように、平面視で、操作部材２５の回動軸Ｏ１がスプール７の軸心Ｏ２よりも前方にオフセットする状態に配置されている。
これにより、操作部材２５は、リール本体５を、リール脚取付け部５ａ（図４（ａ）参照）を介して、図５に示すように、釣竿Ｒに装着した際に、釣竿Ｒとともにリール本体５を把持した手の親指Ｔで回動操作が可能となっている。
つまり、釣竿Ｒとリール本体５を保持した姿勢で片手操作を行うことが可能となる。
【００２９】
操作部材２５は、略円筒形状を呈している。操作部材２５は、その外表面が、左右側板５Ａ，５Ｂ間でスプール７を露出させる開口領域に面しており、回動する方向が前後方向（後方側から見ると上下方向）となるように、回動軸Ｏ１が左右方向（水平面内においてリール本体５の前後方向に直交する方向）に支持されている。
これにより、親指でサミングしながら、親指の指先で操作部材２５に触れていることが可能となる。したがって、サミングによるアタリを感知しながら、即座にモータ駆動による巻き取りが可能となる。さらに、操作部材２５は、略前後方向に移動可能となっていることから、同時にサミングしたり離したりする（接触させたり離す）指の動きと同一方向となり、操作性が良好となる。
【００３０】
操作部材２５は、図３（ａ）に示すように、その両端部が支持部材（支持部）２２０，２３０を介して制御ケース１５の後端部に回動可能に支持（両軸支持）されている。これにより、操作部材２５に対する糸絡みが防止されている。また、操作部材２５は、左右側板５Ａ，５Ｂの中央領域に位置しており、リール本体５の重心（不図示）に対する把持位置のバランスが良好となっている。したがって、操作性がよく、疲れ難く、さらに、右手、左手のどちらの手で把持しても共通の操作感覚が得られる。なお、図３（ａ）では、図面下側が上方、図面上側が下方を示している。
【００３１】
なお、制御ケース１５の後方部位には、後方から親指Ｔでサミングしたまま指先で操作部材２５に触れることができるように開放部２１０（図２参照）が設けられ、この開放部２１０内に操作部材２５が配置されている。ここで、図２に示すように、開放部２１０は、スプール７側（後方側）に向かって開放幅が広がる「ハ」の字形状を呈しており、制御ケース１５の後端縁で開口形成されている。したがって、スプール７上のどの位置においてもサミング操作から操作部材２５の回動操作への移行がスムーズに行える。
【００３２】
操作部材２５は、図３（ａ）に示すように、中間部分が膨出して大径部２５ａとされ、左右両側部が大径部２５ａよりも細い小径部２５ｂとされており、回動軸Ｏ１方向に段付き円筒状とされた外周面を有している。大径部２５ａの周面には、ローレット加工が施されており、その一部に突起２５４（図４（ａ）参照）が設けられている。
操作部材２５の内側には、仕切壁２５ｅにより回動軸Ｏ１方向に仕切られる２つ内孔２５ｃ，２５ｄが形成されている。仕切壁２５ｅは、操作部材２５の右側（角度センサ１３０が配置される側）に偏倚した位置に（右側の小径部２５ｂの略内側に）形成されており、左側の内孔２５ｃの容積が右側の内孔２５ｄの容積よりも大きなものとなっている。仕切壁２５ｅには、角度センサ１３０の軸部１３３が挿通される支持孔２５ｆが形成されている。
【００３３】
なお、操作部材２５は、内部が中実であってもよいし、全体あるいは部分的に空洞部があってもよい。また、その外形状についても種々の形態を採り得る。本実施形態のように、中間部分が膨出した形状は勿論、周囲に凹凸が形成されていたり、指でつまんだり、当て付けることが可能な突起部が形成されたものであってもよい。あるいは、回動軸Ｏ１方向の中間部分が窪んでいるなど、親指Ｔの腹部が当接できて回動操作ができるような外形状を備えたものであればよい。さらに、制御ケース１５の表面から突出していてもよいし、操作部材２５の大径部２５ａ等が制御ケース１５（リール本体５）との間で略面一状にされていてもよい。
【００３４】
支持部材２２０は、固定部２２１と支軸２２２とを備える。固定部２２１は、制御ケース１５の左後端の内面に対応する外形状を有しており、制御ケース１５の左後端の内側に収容されて固定される。支軸２２２は、略円柱状を呈しており、回動軸Ｏ１方向に延出して、操作部材２５の内孔２５ｃの略全体に挿入される大きさを有している。支軸２２２の先端外周面には、周溝２２４が形成されており、周溝２２４にＯリング２２５が装着されている。周溝２２４は、支軸２２２が内孔２５ｃに挿入された状態で、操作部材２５の回動軸Ｏ１方向の略中央部に位置するようになっており、Ｏリング２２５は、この略中央部において、操作部材２５と支軸２２２との間に介設されている。つまり、支軸２２２は、筒状の操作部材２５の内孔２５ｃにＯリング２２５を介してシール状態で挿通されている。
【００３５】
支持部材２３０は、図３（ａ）に示すように、その内側に角度センサ１３０を収容している。角度センサ１３０は、ケース１３１と、蓋部材１３２と、軸部１３３と、回動部材１３４と、を備える。ケース１３１は、操作部材２５側に向けて段状に縮径しており、内側に回動部材１３４が回動可能に収容されている。また、ケース１３１は、軸部１３３を回動可能に支持している。ケース１３１の端部外面には、カラー２２９が装着され、このカラー２２９を介して操作部材２５の右端が支持されている。蓋部材１３２は、ケース１３１の開口に装着されて開口を塞いでいる。なお、回動部材１３４と蓋部材１３２との間には、図示しない電気的接点が設けられている。
軸部１３３は、ケース１３１に回動可能に支持され、操作部材２５に向けて延出している。軸部１３３の先端部は、操作部材２５の仕切壁２５ｅの支持孔２５ｆに挿通されている。軸部１３３の先端部には、ナット１３６が締結され、ナット１３６の締結により、軸部１３３が仕切壁２５ｅに固定されている。
【００３６】
回動部材１３４は、軸部１３３の右端に一体的に固定されている。これにより、軸部１３３が回動すると回動部材１３４が一体に回動する。
回動部材１３４の右側部には、係合手段１４０の一方をなす凸部１４１が設けられている。凸部１４１は、回動部材１３４に一体的に形成されており、蓋部材１３２に向けて突出している。蓋部材１３２には、係合手段１４０の他方をなす凹部１４２が形成されている。凹部１４２は、凸部１４１の形成位置に対応する位置に形成されており、凸部１４１が係合可能である。図３（ｃ）に示すように、凹部１４２（二点鎖線で図示、凸部１４１に重なる部分は実線で図示）は、凸部１４１の回動方向に沿って蓋部材１３２に３箇所形成されている。３つの凹部１４２は、隣同士が約６０度間隔で配置されている。したがって、両端の凹部１４２，１４２同士は、１２０度の間隔を空けて配置されている。
【００３７】
なお、蓋部材１３２は、若干の弾力性を有する材料で形成されており、この弾力性を利用して凹部１４２に対して凸部１４１が係脱可能となっている。この蓋部材１３２の弾力性を利用して、操作部材２５の回転の際に節度感のある抵抗力が付与されるようになっている。
この場合、凸部１４１を回動部材１３４に対して出没自在に設け、バネ等の付勢手段によって、凹部１４２と凸部１４１とで操作部材２５の回動の際に節度感のある抵抗力が付与されるように構成してもよい。また、凸部１４１自体を弾力性を有する部材で形成して凹部１４２に係脱可能に係合させてもよい。
【００３８】
ここで、操作部材２５が前後方向の一番後側に回動操作されると、凸部１４１が二点鎖線で示した凹部１４２（Ｇ１の位置）に回動してきて、この凹部１４２に係合する状態となる。つまり、操作部材２５は駆動モータ８の出力がゼロとなる初期位置において、節度感のある抵抗力をもって保持される。
なお、図４（ｂ）に示すように、操作部材２５が初期位置にあるときには、操作部材２５の外面に設けられたストッパ部２５１が制御ケース１５に設けられた第１の規制部１５１に当接した状態となり、後側に向けた操作部材２５の回動が規制される。
【００３９】
また、操作部材２５が前後方向の略中間位置に回動操作されると、図３（ｃ）に示すように、凸部１４１が二点鎖線で示した凹部１４２（Ｇ２の位置）に回動してきて、この凹部１４２に係合する状態となる。つまり、操作部材２５は駆動モータ８の出力が約半分となる中間位置において、節度感のある抵抗力をもって保持可能となる。
なお、図４（ｃ）に示すように、中間位置に操作部材２５が位置しているときには、操作部材２５の外面のストッパ部２５１が周囲に当接することがないので、操作部材２５の回動が規制されることはない。
【００４０】
さらに、操作部材２５が前後方向の一番前側に回動操作されると、凸部１４１が二点鎖線で示した凹部１４２（Ｇ３の位置）に回動してきて、この凹部１４２に係合する状態となる。つまり、操作部材２５は駆動モータ８の出力が最大となる前側位置において、節度感のある抵抗力をもって保持される。
なお、図４（ｄ）に示すように、前側位置に操作部材２５が位置しているときには、操作部材２５のストッパ部２５１が制御ケース１５の後端に設けられた第２の規制部１５２に当接した状態となり、前側に向けた操作部材２５の回動が規制される。
【００４１】
なお、図３（ａ）に示すように、回動軸Ｏ１から凸部１４１と凹部１４２とが係合する位置までの半径をＤ１とし、回動軸Ｏ１から操作部材２５の小径部２５ｂの外面までの半径をＤ２とすると、これらの関係は、Ｄ１＜Ｄ２となっている。つまり、回動軸Ｏ１の径方向において、凸部１４１と凹部１４２とが係合する位置は、小径部２５ｂの外面よりも内側に位置していることとなり、これによって、比較的小さな回動操作力を加えることで、凸部１４１と凹部１４２との係合を容易に解除することが可能である。したがって、操作部材２５の回動操作性に優れる。
【００４２】
なお、角度センサ１３０は操作部材２５の回動軸Ｏ１上にあり、この角度センサ１３０を利用して配置される係合手段１４０は、回動軸Ｏ１の延長上において回動軸Ｏ１の周りに設けられているので、操作部材２５の側方の離れた位置において操作部材２５の回動の際に節度感のある抵抗力を好適に付与することができる。したがって、操作部材２５の大型化を回避しつつ、制御ケース１５の大型も好適に回避することができる。また、係合手段１４０が操作部材２５から離れていても、１本の回動軸Ｏ１上に操作部材２５と係合手段１４０とが配置されているので、操作する指を通じて操作部材２５の調節具合（回動操作位置）を認識し易い。
【００４３】
図４（ａ）を再び参照して説明すると、制御ケース１５には、駆動モータ８の駆動を制御する制御部１００（制御基板１２０Ａ，１２０Ｂ）が収容されており、操作部材２５の回転操作量に応じて駆動モータ８の出力を調整するようになっている。この場合、制御部１００は、前記のように操作部材２５を前方に向けて回転操作することで、駆動モータ８の出力が上昇するように設定されている。すなわち、釣糸の巻き取りをする際、サミングしている親指Ｔをそのまま前方に延ばして、操作部材２５を押し上げるような操作をすることで釣糸の巻き取り操作が行えるため、操作性の向上が図れる。
【００４４】
なお、操作部材２５の回転操作量と駆動モータ８の出力との関係については任意であるが、本実施形態では、操作部材２５の初期位置をモータの出力値０として、１２０°前方に回転操作した際に、前記のようにモータ出力が最大となるように設定されている。すなわち、前方方向に向けて操作した際に増速とすることで、釣竿Ｒとリール本体５を持つ手に負荷がかかる高速巻き取り時に、より前方を把持できるので、把持保持性が高くなり、操作性がよくなる。したがって疲れ難くなる。
もちろん、操作部材２５については、後方に向けて回転操作した際に、駆動モータ８の出力が上昇するように設定してもよい。このような操作部材の構成によれば、スプール７をサミングしている親指Ｔの第一関節を折り曲げる動作をするだけで、サミング操作をＯＮからＯＦＦにすると同時に、操作部材を手前側に回転操作（駆動モータ８の増速回転）することができ操作性のよい構成となる。
【００４５】
前記制御ケース１５の表面には、繰り出された釣糸の長さ（糸長情報）などを表示する表示部（液晶表示部）１６が設けられており、また、その周囲には、各種の情報が設定可能な複数の操作ボタン２１６が配設されている。なお、本実施形態において、操作ボタン２１６は、図５に明確に示されるように、制御ケース１５の上面において、表示部１６と操作部材２５との間で且つ釣竿Ｒとともにリール本体５を把持した状態で親指Ｔが届く位置とされている。
なお、制御ケース１５の前部には前板１５Ａが装着される（図２参照）。
【００４６】
以上説明した本実施形態の魚釣用電動リール１によれば、係合手段１４０の作用によって操作部材２５の回動の際に節度感のある抵抗力を付与することができるので、操作する指を通じて操作部材２５の調節具合（回動操作位置）を認識することができ、駆動モータ８の出力状態を把握し易い。したがって、操作部材２５の回動操作性に優れた魚釣用電動リール１が得られる。
なお、操作部材２５が親指Ｔで隠れてしまっても、節度感により操作部材２５の調節具合（回動操作位置）を容易に認識することができる。
また、操作部材２５には、係合手段１４０により回動方向へ回動し難くなっているので、係合手段１４０を利用して操作部材２５を所定の節度位置（回動位置）に留め置くことができる。これにより、例えば、衣服や指等の予期しない接触によって操作部材２５が誤回動することを抑制することができる。
【００４７】
また、係合手段１４０が角度センサ１３０に備わるので、係合手段１４０を有する構造において省スペース化を図ることができ、操作部材２５周りのコンパクト化が可能である。これにより、操作部材２５の回動操作性を向上することができる。また、コンパクト化により、軽量化、コスト低減を図ることができる。
【００４８】
（第２実施形態）
図６を参照して第２実施形態の魚釣用電動リールについて説明する。
本実施形態が前記第１実施形態と異なるところは、係合手段１４０が、角度センサ１３０内に配置されたリーフ型のスプリング部材５０と、ケース１３１の内面に形成した凹部１３５とで構成した点にある。
【００４９】
スプリング部材５０は、固定部材５２によって回動部材１３４の側面に固定されており、先端部５１がケース１３１の内面に向けて突出している。
凹部１３５には、スプリング部材５０の先端部５１が係合可能であり、この係合によって、操作部材２５の回動の際に節度感のある抵抗力が付与されるようになっている。
【００５０】
このような係合手段１４０によっても操作部材２５の回動の際に節度感のある抵抗力が付与されるので、操作する指を通じて操作部材２５の調節具合（回動操作位置）を認識することができ、駆動モータ８の出力状態を把握し易い。したがって、操作部材２５の回動操作性に優れた魚釣用電動リール１が得られる。
【００５１】
（第３実施形態）
図７を参照して第３実施形態の魚釣用電動リールについて説明する。
本実施形態が前記第１，２実施形態と異なるところは、係合手段３００が操作部材２５の内孔２５ｃに構成されており、操作部材２５と支持部材２２０の支軸２２２との間で節度感をもたせた点にある。
【００５２】
係合手段３００は、支軸２２２の外周面に設けられた溝部３０１と、溝部３０１内に配置されたスプリング３０２と、溝部３０１に出没可能に配置されスプリング３０２により操作部材２５へ向けて付勢された係合部材（凸部）３０３と、操作部材２５の内面に形成され係合部材３０３が係合可能な凹部３０４と、を有する。
【００５３】
このような係合手段３００によっても操作部材２５の回動の際に節度感のある抵抗力を付与することができるので、操作する指を通じて操作部材２５の調節具合（回動操作位置）を認識することができ、駆動モータ８の出力状態を把握し易い。したがって、操作部材２５の回動操作性に優れた魚釣用電動リール１が得られる。
【００５４】
また、支持部材２２０の支軸２２２と操作部材２５との対向部に、係合部材３０３や凹部３０４を設けるという簡単な構成にて係合手段３００を容易に設けることができる。
また、操作部材２５の調節具合（回動操作位置）が操作部材２５から指にダイレクトに伝わるので、駆動モータ８の出力状態をより把握し易い。
【００５５】
なお、係合手段３００は、支持部材２２０の固定部２２１と、操作部材２５の小径部２５ｂとの対向部に設けてもよいし、支持部材２３０と、操作部材２５の小径部２５ｂ（右側の小径部２５ｂ）との対向部に設けてもよい。
なお、これらの対向部において、他の凸部と凹部とからなる他の係合手段を用いて節度感をもたせてもよい。
【符号の説明】
【００５６】
１      魚釣用電動リール
５      リール本体
５Ａ    左側板
５Ｂ    右側板
７      スプール
８      駆動モータ
１５    制御ケース
２５    操作部材
１３０  角度センサ
１３５  凹部
１４０  係合手段
１４１  凸部
１４２  凹部
３０４  凹部
２２０  支持部材（支持部）
２３０  支持部材（支持部）
Ｏ１    回動軸
【図１】
2014108071.tif 000003
【図２】
2014108071.tif 000004
【図３】
2014108071.tif 000005
【図４】
2014108071.tif 000006
【図５】
2014108071.tif 000007
【図６】
2014108071.tif 000008
【図７】
2014108071.tif 000009